(57)【要約】【課題】筺体の汎用性を維持することができる筐体装置を提供する。【解決手段】筐体装置１は、筐体２及び昇降部３を有している。筐体２は、電子機器４を収容可能であって、設置面５上に互いに間隔を置いて配置された支柱６を４個備えている。昇降部３は、搭載部７及び歯車８を有している。搭載部７には電子機器４が搭載される。歯車８は、搭載部７の周囲に４個設けられており、支柱６の各々に互いに間隔を置いて設けられた複数の穴９と噛み合い、互いに同期して回転する。昇降部３は、各支柱６の内側を設置面５近傍から支柱６に沿って移動する。更に、昇降部３は、筐体２の支柱６と着脱可能である。【選択図】図２
2009206420.tif 000002
【特許請求の範囲】
【請求項１】
電子機器を収容可能な筐体であって、設置面上に互いに間隔を置いて配置された支柱を４個備えた筐体と、
前記電子機器が搭載される搭載部と、該搭載部の周囲に設けられた４個の歯車であって、前記支柱の各々に互いに間隔を置いて設けられた複数の穴と噛み合い、互いに同期して回転する歯車と、を有し、各支柱の内側を前記設置面近傍から該支柱に沿って移動する昇降部と、
を有し、
前記昇降部は、前記筐体の前記支柱と着脱可能である、
筐体装置。
【請求項２】
前記昇降部は、前記設置面近傍に在る時に前記搭載部を撓ませることで前記筺体と着脱する、請求項１に記載の筐体装置。
【請求項３】
前記昇降部は、前記設置面近傍に在る時に各歯車の互いに同期した回転が解除できるような電気的および／または機械的なロック機構を備えている、請求項１または２に記載の筺体装置。
【請求項４】
前記支柱には、前記歯車用のガイド機構が設けられている、請求項１から３のいずれか１項に記載の筺体装置。
【請求項５】
前記筺体の各支柱の前記間隔、及び該支柱の各穴の前記間隔は、ＪＩＳ規格またはＥＩＡ規格に準拠して等間隔に設けられている、請求項１から４のいずれか１項に記載の筺体装置。
【発明の詳細な説明】
【技術分野】
【０００１】
本発明は、筐体装置に関する。
【背景技術】
【０００２】
汎用ラックと称される筐体は、ラックマウント型の電子機器を収容するためのものである。汎用ラックは、筐体の支柱の間隔やネジ穴のピッチなどがＪＩＳ(Japanese Industrial Standards)規格又はＥＩＡ(Electronic Industries Alliance)規格に準拠しており、異なるメーカの電子機器も組み合わせて収容することができる。汎用ラックは安価で入手性も良く、複数のサーバーなどの電子機器を効率良く集中的に収容することを可能にしている。
【０００３】
汎用ラックに電子機器を取り付ける際、電子機器が軽量の場合は汎用ラックの搭載位置まで電子機器を人手により持ち上げ、ネジで固定していた。この場合、電子機器を持ち上げる人とネジを固定する人とで作業には少なくとも２人が必要であった。また、電子機器の重量の問題で人手により持ち上げることが困難な場合や持ち上げ作業に危険性を伴う場合は、専用リフターを使い搭載位置まで電子機器を持ち上げ、電子機器をラックにネジで固定していた。
【０００４】
ラック自体にリフター機構を設けることで、ラック外からの供給が必需であった専用リフターを準備することなく、また人手のみで安全な作業を可能とする構造の一例が、図３に示す電子機器収納筐体において開示されている（特許文献１）。筐体であるラック１に備えられたリフター機構は、リフターベース部２と、リフターアーム部３と、リフター補強金具４とを有している。リフターベース部２は、ラック１の前面部左右の支柱に沿って設けられており、支柱の上下方向に移動可能である。リフターアーム部３においては、ラックマウントタイプ情報処理装置又はその周辺機器１６を搭載したり、或いはこれらの機器の搭載位置を変更したりすることが可能となっている。
【特許文献１】特開２００２−１６４６７８号公報
【発明の開示】
【発明が解決しようとする課題】
【０００５】
しかしながら、このリフター機構を備えたラックの構造ではラックが各電子機器専用となることで、電子機器のみを更新させたい場合に電子機器と付随してラックも別形態のラックに変更しなければならない。そのため、ラックの汎用性が損なわれてしまっていた。
【０００６】
本発明は、上記事情に鑑みてなされたものであり、ラックの汎用性を維持することができる筐体装置を提供することを目的とする。
【課題を解決するための手段】
【０００７】
本発明の一態様の筐体装置は、電子機器を収容可能な筐体であって、設置面上に互いに間隔を置いて配置された支柱を４個備えた筐体と、電子機器が搭載される搭載部と、搭載部の周囲に設けられた４個の歯車であって、支柱の各々に互いに間隔を置いて設けられた複数の穴と噛み合い、互いに同期して回転する歯車と、を有し、各支柱の内側を設置面近傍から支柱に沿って移動する昇降部と、を有し、昇降部は、筐体の支柱と着脱可能である。
【発明の効果】
【０００８】
本発明によれば、電子機器を搭載する搭載部を備えた昇降部が筺体の支柱と着脱可能である。これにより、電子機器の更新の際、設置面において電子機器とともに昇降部を支柱から取り外すことができる。そのため、電子機器のみを更新でき、ラックは同一形態のまま使用し続けることができる。すなわち、ラックの汎用性を維持できる。従って、ラックの汎用性を維持することができる筐体装置を提供することができる。
【発明を実施するための最良の形態】
【０００９】
以下、本発明を実施するための最良の形態について図面を参照して説明する。
【００１０】
図１に本発明の一実施形態に係る筺体装置の斜視図を示す。更に、図２に図１の昇降部を拡大した模式図を示す。まず、図１及び図２を用いて筺体装置の構成を説明する。筺体装置１は筺体２及び昇降部を備えている。
【００１１】
筺体２は電子機器４を収容可能であって、設置面５上に互いに間隔を置いて配置された支柱６を４個備えている。各支柱６は、互いに間隔を置いて設けられた複数の穴９を有し、昇降部３の移動（図１における上下方向の移動）の案内手段として機能する。図１に示す支柱６の穴９は、隣接する穴９の間隔が一定ではない。しかしながら、穴９の配置は間隔が一定ではない形態に限定されるものではなく、隣接する穴９の間隔が一定であってもよい。支柱６の各穴９の間隔や筺体２の各支柱６の間隔は、ＪＩＳ規格又はＥＩＡ規格に準拠して等間隔に設けられていてもよい。この場合、設置面５における４個の支柱６の配置形状は正方形となる。
【００１２】
昇降部３は筺体２の支柱６と着脱可能である。具体的には、昇降部３は、設置面５近傍に在る時に搭載部７を撓ませることで筺体２と着脱する。なお、搭載部７のこの強制的な撓みは、図２の紙面と交差する方向（昇降部３の歯車８の回転方向と直交する方向、奥行方向）における搭載部７の両端を図２の上方に向かって湾曲させて行うのが通常である。しかしながら、搭載部７の強制的な撓みは、この形態に限定されるものではない。すなわち、図２の紙面に沿う方向（昇降部３の歯車８の回転方向、幅方向）における搭載部７の両端を図２の上方に向かって湾曲させることで、搭載部７の強制的な撓みは行われてもよい。
【００１３】
また、昇降部３は搭載部７及び歯車８を有している。搭載部７には電子機器４が搭載される。更に、搭載部７は、互いに間隔を置いて配置された４個の支柱６の配置形状に伴い、平面形状が矩形又は正方形の直方体状である（図２参照）。直方体状の搭載部７の周囲を構成する側面には歯車８が４個設けられている。図２に示す歯車８は搭載部７の四隅に設けられているが、この形態に限定されるものではない。すなわち、支柱６の穴９と噛み合う歯車８の形態であればよい。歯車８は支柱６の各々に互いに間隔を置いて設けられた複数の穴９と噛み合い、互いに同期して回転する。各歯車８の回転方向は、図２に示す矢印の通りである。更に、歯車８は、支柱６に設けられた歯車８用のガイド機構と噛み合う形態であってもよい。なお、本発明の実施形態に係る筺体装置１では、４個の歯車８が同期して回転することで電子機器４が支柱６から脱落することはない。しかし、このガイド機構を支柱６に更に設けることで、歯車８と筺体２の支柱６との噛合がより確実となる。従って、筺体装置における電子機器の輸送性能が向上することで、電子機器の信頼性を向上できる。
【００１４】
更に、昇降部３は、設置面５近傍に在る時に各歯車８の互いに同期した回転が解除できるような電気的及び／又は機械的なロック機構を備えている。電気的なロック機構は、リミットスイッチのような位置制限手段を有している。この位置制限手段は、昇降部３の底面上と、筺体２の設置面５上と、支柱６内側の壁面上との少なくとも１つに設けられていてもよい。一方、機械的なロック機構は、凸状部を有している。この凸状部は、昇降部３の底面上と、筺体２の設置面５上と、支柱６内側の壁面上との少なくとも１つに設けられていてもよい。更に、このロック機構は、上述の位置制限手段及び凸状部の少なくとも１つで構成することができる。このロック機構が筺体装置に設けられていることにより、昇降部は、設置面近傍に在る時にそれ自身の位置がこのロック機構によって検知される。従って、この位置検知により昇降部は筺体の支柱と着脱可能となる。
【００１５】
以上のような筺体装置１の構成により、手動又は動力による駆動で複数の歯車８が回転すると、搭載部７に電子機器４が搭載された昇降部３は各支柱６の内側を設置面５近傍から支柱６に沿って移動する（図１における上向き矢印方向）。その後、昇降部３は筺体２内の電子機器４の取り付け箇所に到達する。そして、電子機器４を筺体２の支柱６にネジ１０で固定し、電子機器４の取り付けが完了する。更に、歯車８の回転方向を昇降部３の上昇時に対して逆転させることで、昇降部３は支柱６に沿って下降し（図１における下向き矢印方向）、設置面５近傍に到達する。そして、昇降部３の搭載部７を撓ませることで、電子機器４が搭載された昇降部３を筺体２から取り外す。更に、次に搭載する電子機器４を搭載部７に載せ、上記と同じ作業を繰り返す。
【００１６】
このようにして、本発明の実施形態に係る筺体装置の昇降部が筺体の支柱と着脱可能であることで、電子機器の更新の際、設置面近傍において電子機器とともに昇降部を支柱から取り外すことができる。そのため、電子機器のみを更新でき、ラックは同一形態のまま使用し続けることができる。すなわち、ラックの汎用性を維持できる。
【００１７】
また、本発明の実施形態に係る昇降部の電子機器輸送が終了し、昇降部が不要となった際は、昇降部が筺体の支柱と着脱可能であることで昇降部を筺体から容易に取り外すことができる。更に、昇降部が不要となった際は、各歯車を互いに同期させずに回転させることが可能なことにより、昇降部を筺体から容易に取り外すことができる。
【図面の簡単な説明】
【００１８】
【図１】本発明の一実施形態に係る筺体装置の斜視図である。
【図２】図１の昇降部を拡大した模式図である。
【図３】従来の電子機器収納筺体を示す斜視図である。
【符号の説明】
【００１９】
１  筺体装置
２  筺体
３  昇降部
４  電子機器
５  設置面
６  支柱
７  搭載部
８  歯車
９  穴
１０  ネジ
【図１】
2009206420.tif 000003
【図２】
2009206420.tif 000004
【図３】
2009206420.tif 000005